(57)【特許請求の範囲】
【請求項１】
一個のランプシェード（１）、一個の放熱モジュール（２）、一個の発光部材（３）、一個の回路板（４）および一個の空気清浄器（５）を有するランプであって、ランプシェード（１）の一端には一個の開口（１１）が設けられ、他の一端には一個の電気接続部材（１２）が設けられ、開口（１１）と電気接続部材（１２）の間には閉鎖式の外周壁構造が形成され、放熱モジュール（２）はランプシェード（１）の内部に固定され、放熱モジュール（２）とランプシェード（１）の開口（１１）の間には少なくとも一個の風道（Ｗ）が形成され、発光部材（３）は放熱モジュール（２）と結合し、回路板（４）はランプシェード（１）の内部に固定され、かつ電気接続部材（１２）および発光部材（３）に電気的に接続し、空気清浄器（５）には一個の発生器本体（５１）と少なくとも一個の射出端（５２）が含まれ、射出端（５２）は発生器本体（５１）に電気的に接続し、その中、ランプシェード（１）の内周壁、放熱モジュール（２）および回路板（４）の間には一個の気流通路（Ｓ）が形成され、空気清浄器（５）の射出端（５２）は気流通路（Ｓ）に設置され、放熱モジュール（２）は気流を導入するのに用いられる一個の風進入口（２２１）と、気流を放熱モジュール（２）の外周の一部から外方へ導出するのに用いられる一個の風排出口（２２２）が設けられることを特徴とするランプ。
【請求項２】
放熱モジュール（２）には一個の放熱器（２１）と一個の放熱ファン（２２）が含まれ、放熱器（２１）はランプシェード（１）の内部に固定され、放熱ファン（２２）は放熱器（２１）と結合し、発光部材（３）は放熱器（２１）と結合することを特徴とする請求項１に記載のランプ。
【請求項３】
空気清浄器（５）の射出端（５２）は風道（Ｗ）に隣接することを特徴とする請求項１に記載のランプ。
【請求項４】
空気清浄器（５）の射出端（５２）は放熱ファン（２２）の風進入口（２２１）に隣接していることを特徴とする請求項２に記載のランプ。
【請求項５】
空気清浄器（５）の射出端（５２）は放熱ファン（２２）の風排出口（２２２）に隣接していることを特徴とする請求項２に記載のランプ。
【請求項６】
空気清浄器（５）の射出端（５２）と発生器本体（５１）は一個の接続線（５３）によって互いに電気的に接続されることを特徴とする請求項１、２、３、４または５に記載のランプ。
【請求項７】
放熱モジュール（２）の放熱器（２１）には他に一個の透光カバー（６）が結合され、発光部材（３）は透光カバー（６）の内部に位置することを特徴とする請求項２、３、４または５に記載のランプ。
【請求項８】
放熱モジュール（２）の放熱器（２１）には一個の第一係合部（２１１）が設けられ、透光カバー（６）には一個の第二係合部（６１）が設けられ、第二係合部（６１）は第一係合部（２１１）と結合することを特徴とする請求項７に記載のランプ。
【請求項９】
空気清浄器（５）の発生器本体（５１）は回路板（４）と結合することを特徴とする請求項１、２、３、４または５に記載のランプ。
【請求項１０】
空気清浄器（５）の発生器本体（５１）は回路板（４）に結合されるモジュールからなることを特徴とする請求項９に記載のランプ。
【請求項１１】
空気清浄器（５）の発生器本体（５１）はレイアウト方式で回路板（４）に形成される回路構造からなることを特徴とする請求項９に記載のランプ。
【請求項１２】
空気清浄器（５）の発生器本体（５１）は回路板（４）に電気的に接続することを特徴とする請求項１、２、３、４または５に記載のランプ。
【請求項１３】
空気清浄器（５）の発生器本体（５１）はランプシェード（１）の電気接続部材（１２）に電気的に接続することを特徴とする請求項１、２、３、４または５に記載のランプ。
【請求項１４】
空気清浄器（５）はマイナスイオン発生器であることを特徴とする請求項１、２、３、４または５に記載のランプ。
【請求項１５】
空気清浄器（５）はオゾン発生器であることを特徴とする請求項１、２、３、４または５に記載のランプ。
【発明の詳細な説明】
【技術分野】
【０００１】
本発明は、ランプに関するもので、特にマイナスイオンを発生することによって空気浄化効果を提供することができるランプに関するものである。
【背景技術】
【０００２】
現在、市場においてよく見られているランプ（例えばＬＥＤランプなど）は、普遍的に照明の機能しか有しておらず、いかに空気を浄化したりまたは室内の異臭を除去したりすることについては、さらに進んだ構造の設計を有しないため、ランプの実用性としてよくないという問題点があった。そのため、市場では空気浄化の効果を有するランプが発売されていた。
【０００３】
例えば、従来ランプの例としては、図４に示す中華人民共和国出願番号第２００８１００７７９９７．９号の「空気浄化の効果を有するＬＥＤランプ」がある。この従来のマイナスイオン発生器を有するランプ９には一個のランプハウジング９１が含まれる。ランプハウジング９１の上部と下部にはそれぞれ上風口９１１と下風口９１２が設けられ、かつランプハウジング９１の内部には一個の放熱器９２、一個のファン９３および一個の発光体９４が設けられる。その中、放熱器９２とファン９３の間に形成される気流通路には一個のマイナスイオン発生器９５が設けられており、これにより、ランプ９を実際に使用する時、マイナスイオン発生器９５によって発生されたマイナスイオンをランプハウジング９１の外部へ送り出すことにより、マイナスイオンを利用した空気浄化の効果を達成することができるようにしたものがある。
【先行技術文献】
【特許文献】
【０００４】
【特許文献１】中華人民共和国出願番号第２００８１００７７９９７．９号公報
【発明の概要】
【発明が解決しようとする課題】
【０００５】
上記の図４に掲示されるような従来のランプにおいては、一般的に次のような問題点を有している。従来のランプ９を実際に使用すると、ランプ９のランプハウジング９１の外周壁に上風口９１１が設けられるため、ランプ９の外観の統合性が壊れやすく美観を損なうという問題点があった。また、ランプ９を長時間使用すると、外部の埃や塵が上風口９１１を経由してランプハウジング９１の内部まで落下してしまうなるため、ランプハウジング９１の内部に多くの埃や塵が積もり、ランプ９の放熱とマイナスイオンによる空気浄化の効果に悪影響を及ぼしてしまうという問題点があった。
【０００６】
また、装飾上において全体的な美観に対する要求を求めるべく、ランプ９のランプハウジング９１を例えば装飾板などの天井板に埋め込んで隠さなければならない場合、上風口９１１が装飾板などの天井板の上方に埋め込まれることにより、ランプハウジング９１の内部は外部の空気と比較的に循環して流通することができないため、同様にマイナスイオンによる空気浄化の効果に悪影響を及ぼしてしまうという問題点があった。
【０００７】
さらに、従来のランプ９のマイナスイオン発生器９５は横方向で放熱器９２とファン９３の間に阻隔されるため（図４に示す如く）、マイナスイオン発生器９５によってランプハウジング９１の内部の気流通路の空間を多く占め、そのため、ファン９３の導流の効果に悪影響を及ぼしてしまうという問題点があった。このように、上記のような従来のランプの構造をさらに改良しなければならない。
【０００８】
本発明はこのような問題点に鑑みて発明されたものであって、その主な目的とするところは、ランプに風進入口または風排出口の構造上の設計を開設することなく、空気浄化の効果を有するという条件を保持したままでランプの外観の統合性を維持することができるランプを提供することである。
【０００９】
本発明の第二の目的は、埃や塵がランプの内部まで落下するのを防止することにより、ランプの内部に多くの埃や塵は積もることを防止し、比較的よい放熱と空気浄化の効果を有することができるランプを提供することである。
【００１０】
本発明の第三の目的は、分離式の空気清浄器によってランプの内部の気流通路の空間を大きく占めてしまうのを有効に避けることができるランプを提供することにある。
【課題を解決するための手段】
【００１１】
上記目的を達成するために、本発明によるランプは、一個のランプシェード、一個の放熱モジュール、一個の発光部材、一個の回路板および一個の空気清浄器を有する。ランプシェードの一端には一個の開口が設けられ、他の一端には一個の電気接続部材が設けられる。開口と電気接続部材の間には閉鎖式外周壁の構造が形成される。放熱モジュールはランプシェードの内部に固定され、放熱モジュールとランプシェードの開口の間には少なくとも一個の風道が形成される。発光部材は放熱モジュールと結合される。回路板はランプシェードの内部に固定され、かつ電気接続部材および発光部材に電気的に接続する。空気清浄器には一個の発生器本体と少なくとも一個の射出端が含まれ、射出端は発生器本体に電気的に接続する。その中、ランプシェードの内周壁、放熱モジュールおよび回路板の間には一個の気流通路が形成され、空気清浄器の射出端は気流通路に設置される。放熱モジュールは気流を導入するのに用いられる一個の風進入口と、気流を放熱モジュールの外周の一部から外方へ導出するのに用いられる一個の風排出口が設けられる。これにより、本発明によるランプは、放熱の効果を高め、マイナスイオンによる空気浄化の効果を高め、さらにランプの外観の統合性を維持することができる、
【００１２】
また、放熱モジュールには一個の放熱器と一個の放熱ファンが含まれ、放熱器はランプシェードの内部に固定され、放熱ファンは放熱器と結合し、発光部材は放熱器と結合することもできる。これにより、上記空気洗浄器によって発生されるマイナスイオンはさらに上記放熱ファンの設計と併せることにより、外部の空気とよりよい循環流通の効果を有することができる。
【００１３】
また、空気清浄器の射出端は風道に隣接することもできる。また、空気清浄器の射出端は放熱ファンの風進入口または風排出口に隣接することもできる。これにより、空気浄化の効果を高めることができる。
【００１４】
また、空気清浄器の射出端と発生器本体は一個の接続線によって互いに電気的に接続することもできる。これにより、上記発射端を簡単に気流通路の何れの位置に設置することにより、組立上の許容度を高めることができる。
【００１５】
また、放熱モジュールの放熱器には他に一個の透光カバーが結合され、発光部材は透光カバーの内部に位置することもできる。また、放熱モジュールの放熱器には一個の第一係合部が設けられ、透光カバーには一個の第二係合部が設けられ、第二係合部は第一係合部と結合することもできる。これにより、組立上の利便性を高めることができる。
【００１６】
また、空気清浄器の発生器本体は回路板と結合することもできる。また、空気清浄器の発生器本体は回路板に結合されるモジュールからなることもできる。また、空気清浄器の発生器本体はレイアウト方式で回路板に形成される回路構造からなることもできる。これにより、上記空気清浄器は上記ランプの内部の気流通路の空間をさらに多く占めることがないため、空気導流の効果を高めることができる。
【００１７】
また、空気清浄器の発生器本体は回路板に電気的に接続することもできる。また、空気清浄器の発生器本体はランプシェードの電気接続部材に電気的に接続することもできる。また、空気清浄器はマイナスイオン発生器であることもできる。また、空気清浄器はオゾン発生器であることもできる。
【発明の効果】
【００１８】
本発明のランプによれば、ランプに風進入口または風排出口の構造設計を開設することなく、空気浄化の効果を有するという前提条件下でランプの外観の統合性を維持することができるという利点がある。
【００１９】
本発明のランプによれば、埃や塵がランプの内部まで落下するのを防止することにより、ランプの内部に多くの埃や塵は積もることがないため、比較的よい放熱と空気浄化の効果を有することができるという利点がある。
【００２０】
本発明のランプによれば、分離式の空気清浄器によってランプの内部の気流通路の空間を多く占めるのを有効に避けることができるという利点がある。
【図面の簡単な説明】
【００２１】
【図１】図１は、本発明の実施例１によるランプの組み立てられた状態の断面図である。
【図２】図２は、本発明の実施例２によるランプの組み立てられた状態の断面図である。
【図３】図３は、本発明の実施例３によるランプの組み立てられた状態の断面図である。
【図４】図４は、従来のランプの組み立てられた状態の断面図である。
【発明を実施するための形態】
【００２２】
本発明の好適な実施の形態について、以下、図面を参照して説明する。
【実施例１】
【００２３】
図１は本発明の実施例１によるランプの組み立てられた状態の断面図である。図１を参照すると、本発明の実施例１のランプには少なくとも一個のランプシェード１、一個の放熱モジュール２、一個の発光部材３、一個の回路板４および一個の空気清浄器５が含まれる。その中、ランプシェード１は放熱モジュール２、回路板４および空気清浄器５を結合するのに用いられることにより、放熱モジュール２、回路板４および空気清浄器５はランプシェード１の内部に収容される。発光部材３は放熱モジュール２と結合し、回路板４は発光部材３および空気清浄器５に電気的に接続する。
【００２４】
ランプシェード１の一端には一個の開口１１が設けられる。それに対して他の一端には一個の電気接続部材１２が設けられる。その中、開口１１はランプシェード１の内部が外部の空間と連通するのに用いられることにより、放熱モジュール２、回路板４および空気清浄器５はランプシェード１の内部に結合し組み立てて固定することができ、さらに外部の気流がランプシェード１の内部まで流通するのを確保することができるため、発光部材３に所要の放熱効果を提供することができる。電気接続部材１２は各種の外部電源に電気的に接続することができる構造設計からなることにより、本発明のランプの主な電源とすることができる。
【００２５】
また、本発明の実施例１のランプシェード１は開口１１と電気接続部材１２の間において閉鎖式外周壁の構造が形成される（すなわちランプシェード１の外周壁の表面にはいかなる通孔の構造設計を有しない）。
【００２６】
放熱モジュール２はランプシェード１の開口１１を経由してランプシェード１の内部に結合される。その中、放熱モジュール２とランプシェード１との結合方式は、例えば、螺合、係合、貼接または溶接などを採用することができる。図１に示すように、放熱モジュール２とランプシェード１の開口１１の間には少なくとも一個の風道Ｗが形成される。
【００２７】
また、本発明の実施例１の放熱モジュール２には一個の放熱器２１と一個の放熱ファン２２が含まれる。放熱器２１は熱伝導性材料により製造され、かつ放熱器２１はランプシェード１の内部に固定される。放熱ファン２２は放熱器２１と結合し、かつ放熱ファン２２も回路板４に電気的に接続することができる。放熱ファン２２は選択的に軸流ファンまたは遠心ファンからなり、好ましくは選択的に一個の軸流ファンからなる。放熱モジュール２には気流を導入したり導出したりするために用いられる一個の風進入口２２１と一個の風排出口２２２が設けられる。これにより、放熱ファン２２は放熱器２１と併せて所要の放熱効果を提供することができる。
【００２８】
発光部材３は放熱モジュール２と結合する。放熱モジュール２に放熱器２１が含まれている時、発光部材３はさらに放熱器２１と結合することにより、よりよい放熱効果を達成することができる。
【００２９】
回路板４は、例えばねじなどの固定部材を利用してランプシェード１の内部に結合して固定するができる。回路板４は電気接続部材１２および発光部材３に電気的に接続することにより、発光部材３の作動時における主な電源を提供することができるとともに、発光部材３の作動を制御することができる。
【００３０】
これにより、ランプシェード１の内周壁、放熱モジュール２と回路板４の間には一個の気流通路Ｓ（すなわちランプシェード１の内部における放熱モジュール２と回路板４以外の空間）が形成され、かつ上述した風道Ｗは気流通路Ｓとランプシェード１の外部空間を連通するのに用いられることにより、空気の進入と空気の排出という作用を提供することができる。
【００３１】
空気清浄器５はマイナスイオン発生器またはオゾン発生器からなることができる。空気清浄器５には一個の発生器本体５１と少なくとも一個の射出端５２が含まれる。発生器本体５１は回路板４またはランプシェード１の電気接続部材１２に電気的に接続し、かつ好ましくは回路板４に直接結合される。この結合方式は発生器本体５１の回路の構造をモジュールに統合してから回路板４に結合させ、またはレイアウト（layout）方式を利用して回路の構造を回路板４に直接形成させることにより、空気清浄器５は気流通路Ｓの空間を占める割合が比較的少なくなる。
【００３２】
また、射出端５２は気流通路Ｓに設置される。射出端５２と発生器本体５１は一個の接続線５３によって互いに電気的に接続することにより、射出端５２は気流通路Ｓの任意の位置（詳しくは後続で説明する。）に設置することができる。これにより、空気清浄器５の発生器本体５１と射出端５２は分離された設計となり、かつ射出端５２は気流通路Ｓに位置するように形成される。
【００３３】
本発明のランプを実際に使用する時、例えば壁、天井板またはその他の照明しようとする場所に随意に取り付けることができる。例を挙げてみると、ランプのランプシェード１を装飾板の天井板の上方に埋め込むことができ、かつランプシェード１の開口１１、風道Ｗと発光部材３だけを天井板の表面から露出させることにより、照明を提供するとともに、良好な放熱効果を兼ねて提供することができ、さらに埃や塵はランプシェード１の内部にまでは落下し難くなる。
【００３４】
その他に、空気清浄器５がマイナスイオン発生器からなる場合、空気清浄器５の発生器本体５１は例えばパルス発振器を利用して低電圧を直流のマイナス高電圧まで昇圧させ、それから併せて射出端５２の付近の気流をマイナスイオンにイオン化することにより、例えば空気中の微塵、花粉、煙霧などに電荷（静電気）を帯電させ、それにより、地面に吸収し易くなって沈殿するため、空気浄化の効果を達成することができる。或いはまた、空気清浄器５がオゾン発生器からなる場合、発生器本体５１は一個の変圧器によって低電圧を交流の高電圧まで昇圧させ、射出端５２の間は高圧の電場エリアに形成される。これにより、空気中の酸素分子を酸素イオンにイオン化し、酸素イオンは再び空気中の酸素分子と結合してオゾンに形成され、オゾンを利用することによって殺菌と防臭などの空気浄化の効果を達成することができる。
【００３５】
上述した技術的概念に基づき、空気清浄器５がマイナスイオン発生器とオゾン発生器の効果を同時に兼ね備えることができることについては、従来の技術分野に属して通常の知識を有する者にとって容易に理解することができるため、ここではその説明を割愛する。
【００３６】
本発明の実施形態の空気清浄器５はその射出端５２の設置の位置に基づいて、大体として以下に述べるような数種類の実施形態の方式を有する。図１を参照すると、本発明の実施例１において、射出端５２は風道Ｗに隣接するように形成される。これにより、射出端５２は風道Ｗを通じて外部の空間に隣接するため、空気清浄器５がマイナスイオンを発生する時、外部空気の浄化効果はよりよくなる。
【実施例２】
【００３７】
図２は本発明の実施例２によるランプの組み立てられた状態の断面図である。図２を参照すると、本発明の実施例２において、放熱モジュール２に放熱ファン２２が含まれる時、射出端５２は放熱ファン２２の風進入口２２１に隣接するように形成される。これにより、射出端５２は放熱ファン２２に隣接するように形成されるため、空気清浄器５がマイナスイオンを発生する時、放熱ファン２２によって導引される気流とさらに合わせることにより、よりよい浄化効果を達成することができる。
【実施例３】
【００３８】
図３は本発明の実施例３によるランプの組み立てられた状態の断面図である。図３を参照すると、本発明の実施例３では、射出端５２は放熱モジュール２の風排出口２２２に隣接するように形成される。これにより、射出端５２は放熱ファン２２に隣接するように形成されるため、空気清浄器５がマイナスイオンを発生する時、放熱ファン２２によって導引される気流とさらに合せることによってよりよい浄化の効果を達成することができる。
【００３９】
再び図１を参照すると、本発明のランプには、好ましくは一個の透光カバー６が含まれる。透光カバー６は放熱モジュール２の放熱器２１と結合することにより、発光部材３が透光カバー６の内部に位置するように形成されるため、発光部材３を保護することができる。その中、透光カバー６と放熱モジュール２の放熱器２１との結合方式は、例えば螺合、係合、貼接または溶接などを採用することができる。図１に示される実施形態において、放熱モジュール２の放熱器２１には一個の第一係合部２１１が設けられ、透光カバー６の一個の開口の端縁には一個の第二係合部６１が設けられる。第二係合部６１は第一係合部２１１と結合することにより、透光カバー６を放熱モジュール２の放熱器２１と任意に取り付けたり取り外したりすることができるため、組立ての便利性を高めることができる。
【００４０】
上述したとおり、本発明のランプによれば次のような多数の効果を確実に達成することができる。本発明のランプによれば、ランプシェード１の開口１１と電気接続部材１２の間には「閉鎖式の外周壁構造」が形成されるため、ランプは他に風進入口または風排出口をランプシェード１の外周面に加工して開設する必要がなく、空気清浄器５によって発生したマイナスイオンまたはオゾンにより、開口１１を経由して外部の空気を浄化することができるため、本発明のランプによれば、マイナスイオンを発生する効果という前提条件下でランプの外観の統合性と全体の美観性を兼ねて有することができる。
【００４１】
本発明のランプによれば、上述した「閉鎖式の外周壁構造」の技術概念に基づき、ランプはランプシェード１の外周面において他に風進入口または風排出口を加工して開設する必要がないため、埃や塵がランプの内部まで落下するのを有効に防止することができ、それにより、ランプの内部に多くの埃や塵が積もるのを減らし、空気清浄器５が正常に作動するのを確保することができ、ランプ放熱の効果と空気浄化の効果を同時に達成することができる。
【００４２】
本発明のランプによれば、空気清浄器５の発生器本体５１と射出端５２は分離式の設計構造であり、射出端５２だけが気流通路Ｓに位置するように形成されることにより、空気清浄器５はランプシェード１の内部の気流通路Ｓの空間を多く占めることがないため、放熱モジュール２はよりよい放熱効果を有するように確保することができ、さらにランプの使用寿命を高めることができる。
【００４３】
本発明は、その精神と必須の特徴事項から逸脱することなく他のやり方で実施することができる。従って、本明細書に記載した好ましい実施例は例示的なものであり、限定を意図するものではない。
【符号の説明】
【００４４】
１    ランプシェード
１１    開口
１２    電気接続部材
２    放熱モジュール
２１    放熱器
２１１    第一係合部
２２    放熱ファン
２２１    風進入口
２２２    風排出口
３    発光部材
４    回路板
５    空気清浄器
５１    発生器本体
５２    射出端
５３    接続線
６    透光カバー
６１    第二係合部
９    ランプ
９１    ランプハウジング
９１１    上風口
９１２    下風口
９２    放熱器
９３    ファン
９４    発光体
９５    空気清浄器
Ｓ    気流通路 
Ｗ    風道
【要約】
【課題】風進入口または風排出口を開設することなく、空気浄化効果を有して外観の統合性を維持するランプを提供する。
【解決手段】ランプシェード１の一端に開口１１が設けられ、他端に電気接続部材１２が設けられ、開口と電気接続部材の間に閉鎖式の外周壁構造が形成される。放熱モジュール２はランプシェード１の内部に固定され、放熱モジュール２とランプシェードの開口１１の間に少なくとも一個の風道Ｗが形成される。発光部材３は放熱モジュール２と結合し、回路板４はランプシェード１の内部に固定され、電気接続部材１２および発光部材３に電気的に接続する。空気清浄器５は発生器本体５１と少なくとも一個の射出端５２を含み、射出端５２は発生器本体５１に電気的に接続する。ランプシェード１の内周壁、放熱モジュール２および回路板４の間には気流通路Ｓが形成され、空気清浄器５の射出端５２は気流通路Ｓに設置される。
【選択図】図１【図１】
0005514288.tif 000002
【図２】
0005514288.tif 000003
【図３】
0005514288.tif 000004
【図４】
0005514288.tif 000005